(57)【特許請求の範囲】
【請求項１】
接続されたリード部を介して伝達される被験者の生体信号を記録する携帯型医療電子機器を収容して、被験者の体表面上に携帯される携帯型医療電子機器用収容袋であって、
遮水性及び可撓性を有するシート材を、上端に開口が形成されるように貼り合わせてなり、内部に前記携帯型医療電子機器が収容される袋本体と、
前記袋本体において前記開口を形成するシート材部分の互いの対向面に配設され、前記開口を通る前記リード部を挟み込みつつ前記開口を封止する粘着部材と、
前記粘着部材を介して封止される部分の下方で、前記リード部に表裏面側で対向するシート材のうち少なくとも一方の対向シート材を貫通して、上端部を前記リード部に当接されると共に下端部側が前記リード部と対向する対向シート材の外部に配置され、前記上端部で吸水して前記対向シート材の外部に導く導水体と、
を有する携帯型医療電子機器用収容袋。
【請求項２】
前記導水体は、前記開口を通る前記リード部の幅よりも広い幅を有する帯状体である請求項１記載の携帯型医療電子機器用収容袋。
【請求項３】
前記袋本体の両側辺部及び底辺部の少なくとも一辺部には、当該袋本体の内方に突出し、内部に収容される前記携帯型医療電子機器に当接して、当該携帯型医療電子機器を前記一辺部から離間させるリブが形成されている請求項１記載の携帯型医療電子機器用収容袋。
【請求項４】
前記一辺部には、前記袋本体の内外を連通させる連通孔が形成されている請求項３記載の携帯型医療電子機器用収容袋。
【請求項５】
前記袋本体は、袋本体の裏面を形成する裏シート材と、
前記裏シート材の表面の下側部分に、上端が開口するように袋状に貼り合わされ、前記袋本体の表面を形成する第１表シート材と、
前記裏シート材の表面の上側部分に、下辺部を前記第１表シート材の上辺部に重ねて配置され、前記第１表シート材とともに前記袋本体の表面を形成する第２表シート材とからなり、
前記粘着部材は前記第２表シート材の全面と、当該第２表シート材と対向する前記裏シート材の上側にそれぞれ配設され、
前記導水体は、前記表第１シート材の上辺部の表面上で、前記ホルダ心電計から導出される前記リード部に対向する位置に、上端が当該表第１シート材の上端から突出させた状態で配設され、
前記第２表シート材は、前記袋本体内に前記ホルタ心電計が収容された際に、前記貼着部材を介して、前記第１表シート材の上辺部及び前記裏シート材の上側部分に、前記リード部を挟み込みつつ密着して貼着される請求項１記載の携帯型医療電子機器用収容袋。
【発明の詳細な説明】
【技術分野】
【０００１】
本発明は、携帯型医療電子機器を収容して身体に装着される携帯型医療電子機器用収容袋に関する。
【背景技術】
【０００２】
従来、携帯型医療電子機器は、不整脈等の被験者の身体に装着して、その被験者の日常生活における心電図を記録して、不整脈の発症の頻度や時間、発症時の状態等を調査するためのホルタ心電計や、入院患者の身体に装着して、その生体情報を監視するためにリアルタイムで無線送信する、医用テレメータ送信機が知られている。
【０００３】
ホルタ心電計は、被験者の皮膚面に密着させる電極群が設けられたケーブルにより電圧される電気信号を、磁気テープあるいは半導体メモリ等の内蔵する記録装置に記録する。記録した心電図は別途用意される解析装置によって解析され、心電図の異常有無等が調べられる。
【０００４】
医用テレメータ送信機は、患者に取り付けた電極やセンサから、心電図や心拍数、ＳｐＯ２（酸素飽和度）のような生体情報を取得し、取得した生体情報を、ナースステーション等に設置されたセントラルモニタにリアルタイムで無線送信し、患者の状態を監視することに用いられる。
【０００５】
このようなホルタ心電計や医用テレメータ送信機等の携帯型医療電子機器は、ベルト等によって被験者の腰の周りや脇の下等の衣服外部に装着し、被験者の胸部に装着した電極からのびるケーブルを襟元等から導いて接続して用いられることが一般的であった。
【０００６】
このように携帯型医療電子機器を衣服外、電極を衣服内に配置して使用する場合、被験者の着替えが非常に面倒となるため、携帯型医療電子機器を衣服の内側に装着することが考えられている。
【０００７】
例えば、特許文献１では、ホルタ心電計を収容したケースに装着帯を通し、この装着帯を被験者の胴部まわりに巻回して、ケースを胴部体表面に密着させ、ホルタ心電計を胴部体表面上に装着している。
【０００８】
また、ホルタ心電計を収容して着用している衣服の内側で、体表面上に装着させるケースとしては、首から下げて下着の内側で直接体表面上に配置させるフィルム状の使い捨て（disposable）タイプのケースが知られている。
【０００９】
使い捨てタイプのケースは、コストの低廉化の観点から、遮水性を有するフィルムを、一端部側に開口を有する袋状に貼り合わせた簡易な構造を有する。使用時には、開口を介してケース内にホルタ心電計を収容して、開口を形成するフィルム部分を、内部から導出されるケーブルとともに挟み込んで封着する。これにより、ケースにおいて、ケースの内外を貫通させるケーブルが通る部分の隙間を塞いで、夏場等かいた汗等の液体が電極から伝わりケース内部に侵入しないようにしている。
【特許文献１】特開２００２−２６３０７５号公報
【発明の開示】
【発明が解決しようとする課題】
【００１０】
従来の使い捨てタイプの収容ケースでは、より防滴性の向上を図ることが望まれている。
【００１１】
本発明はかかる点に鑑みてなされたものであり、携帯型医療電子機器を収容して、衣服の内側で被験者の体表面上に装着感なく装着させることができるとともに、内部に水が侵入しにくい防滴性の向上が図られた携帯型医療電子機器用収容袋を提供することを目的とする。
【課題を解決するための手段】
【００１２】
本発明の携帯型医療電子機器用収容袋は、接続されたリード部を介して伝達される被験者の生体信号を記録する携帯型医療電子機器を収容して、被験者の体表面上に携帯される携帯型医療電子機器用収容袋であって、遮水性及び可撓性を有するシート材を、上端に開口が形成されるように貼り合わせてなり、内部に前記携帯型医療電子機器が収容される袋本体と、前記袋本体において前記開口を形成するシート材部分の互いの対向面に配設され、前記開口を通る前記リード部を挟み込みつつ前記開口を封止する粘着部材と、前記粘着部材を介して封止される部分の下方で、前記リード部に表裏面側で対向するシート材のうち少なくとも一方の対向シート材を貫通して、上端部を前記リード部に当接されると共に下端部側が前記リード部と対向する対向シート材の外部に配置され、前記上端部で吸水して前記対向シート材の外部に導く導水体とを有する構成を採る。
【００１３】
この構成によれば、使用時において、粘着部材によって、袋本体に収容された携帯型医療電子機器に接続されたリード部が通る袋本体の開口を、リード部を挟み込みつつ封止するととともに、封止部分の下方で、リード部に、下端部側がリード部と対向する対向シート材の外部に配置された導水体の上端部が当接されている。汗などの液体が、封止部分におけるリード部を伝ってきた場合、導水体により吸収して袋本体の外部に誘い出す。これにより袋本体内への液体の侵入を一層防ぐことができる。
【発明の効果】
【００１４】
本発明によれば、携帯型医療電子機器を収容して、衣服の内側で被験者の体表面上に装着感なく装着させることができるとともに、防滴性の向上を図ることができる。
【発明を実施するための最良の形態】
【００１５】
以下、本発明の実施の形態について、図面を参照して詳細に説明する。
【００１６】
図１は、本発明の一実施の形態に係るホルタ心電計（携帯型医療電子機器）用収容袋を示す正面図である。なお、本実施の形態において上、下、左、右とは、上記ホルタ心電計用収容袋を、被験者に装着し、開口部側を上として正面から見た場合の上、下、左、右を意味する。
【００１７】
ホルタ心電計用収容袋１０は、一端部で開口する袋状の袋体２０及び封止シート２６とを備える袋本体と、開口部を封着する貼着部材（粘着部材、ここでは粘着テープ）３０と、吸水性を有する導水体４０と、を有する。
【００１８】
図２は、同ホルタ心電計収容袋の分解斜視図である。
【００１９】
ホルタ心電計用収容袋１０の袋本体は、遮水性及び可撓性を有する略矩形状の樹脂製フィルム材或いはシート材を適宜貼り合わせることにより形成されている。
【００２０】
袋体２０は、フィルム材或いはシート材を重ねて周縁部（図１参照）を適宜張り合わせて接合することによって形成されている。
【００２１】
具体的には、袋体２０は、裏面を構成する矩形状の裏シート２２の表面に、当該裏シート２２と同幅で当該裏シート２２よりも縦の長さが短い表シート２４を、両側辺部で溶着し、底辺部分では間隔をあけて溶着している。これにより、袋体２０の底辺部分には、内部に侵入した水を外部に排出するための排水孔２０ａが形成されている。なお、図１では、裏シート２２及び表シート２４の溶着部分（貼り合わせ部分）、裏シート２２及び封止シート２６の溶着部分（貼り合わせ部分）とはハッチングにより表している。また、裏シート２２、表シート２４及び封止シート２６は、ポリオレフィン製のシート材を用いているが、ポリエチレン、ポリプロピレン又はポリ塩化ビニル等のフィルム材又はシート材を用いてもよい。また、本実施の形態におけるホルダ心電計用収容袋１０では、袋帯２０及び封止シート２６を有する袋本体は、遮水性及び可撓性を有するシート材としてポリオレフィン製のシート材を用いて構成している。このため、ホルダ心電計用収容袋１０は、使い捨てることなく使用してもよいし、また、使い捨てタイプとして利用してもよい。
【００２２】
また、底辺部分において表シート２４では、裏シート２２に、袋体２０の内側に上方に突出した部位が溶着されている。この部位は、袋体２０内部において底辺部から上方に突出するリブ２０ｂとなり、ここでは、底辺部における略中央部分に左右に所定間隔離間して配置されている。この所定間隔は、袋体２０内において底辺部に沿って収容されるホルタ心電計の一側辺部の長さよりも短い間隔とする。これにより、ホルタ心電計用収容袋１０では、ホルタ心電計は、袋体２０内に、リブ２０ｂを介して袋体２０の底辺部から上方に離間した位置で収容される。
【００２３】
このように表シート２４とともに袋体２０を構成する裏シート２２の上部２２ａは、表シート２４本体の上端より上方に延出されている。この裏シート２２の上部２２ａの上には封止シート２６が配置されている。封止シート２６は、上部２２ａの全面を覆うととともに、下辺部２６ａで、表シート２４本体の上辺部を覆う。
【００２４】
封止シート２６は、ここでは、一方の側部（図１では左側部）で裏シート２２の上部２２ａの左側部に溶着により接合されている。
【００２５】
裏シート２２の上部２２ａの表面及び封止シート２６の裏面の少なくとも一方には、袋体２０に収容されるホルタ心電計から導出されるフレキ配線部を挟むことで固定しつつ裏シート２２及び封止シート２６を接合する貼着部材３０が配設されている。貼着部材３０は、粘着テープであり、使用前では剥離紙により粘着面が被覆されている。
【００２６】
ここでは、貼着部材３０は、裏シート２２の上部の表面に配設され、フレキ配線部を裏面側で固定する裏側固定テープ３２と、封止シート２６の裏面の全面に配設され、フレキ配線部の表面と裏面シート２２及び表シート２４に貼着される表側固定テープ３４とを有する。
【００２７】
裏側固定テープ３２及び表側固定テープ３４は、裏シート２２及び表シート２４のそれぞれに、互いの粘着面が対向するように、互いに重なる状態で配置されている。ここでは、裏側固定テープ３２は、ホルタ心電計用収容袋１０の一端側部分（ここでは上辺側部分）において、袋体２０の内部から導出されるフレキ配線部が位置する部位に配設され、当該フレキ配線部の全幅（左右幅）よりも広い横幅を有している。
【００２８】
封止シート２６の下辺部２６ａが重なる表シート２４の上辺部には、裏側固定テープ３２の真下の部分に、上端部４０ａを表シート２４の上端縁２４ａより上方に張り出した導水体４０が取り付けられている。導水体４０において張り出した部分４０ａは、裏シート２２の上部２２ａ（表シート２４より上方に延び出た部分）に対向する。
【００２９】
導水体４０は、吸水性を有する素材からなり、吸水した水を重力方向に移動させる。
【００３０】
この導水体４０は、袋体２０に収容されるホルタ心電計から外部に導出される複数の電極の幅より広い幅を有し、封止シート２６を閉じた際に電極に当接して、当該電極を伝う水滴を表シート２４表面側に誘い出す。なお、この導水体４０は、吸水性を有し、表シート２４の裏側に配置される上端部で吸水して表シート２４の表側に導くものであればどのような材料又は形状に形成されてもよい。
【００３１】
ここでは、所定の厚みとフレキ配電部よりも幅広な正面視矩形状の脱脂綿を用いており、表シート２４の上辺部分から例えば３ｍｍ程度上方に延出するように配設されている。
【００３２】
なお、本実施の形態では、導水体４０を平面視左右に長い矩形状としているが、下端部分の一部を下方に突出した尖形状に形成し、その突出端側に水を誘い出しようにしてもよい。
【００３３】
また、封止シート２６において、表シート２４本体の上辺部に重なる部位の上面側には、表シート２４上辺部分に配置された導水体４０を覆う被覆シート４２が取り付けられている。これにより、正面視して導水体は見えないようになっている。例えば、被覆シート４２には、ホルタ心電計用収容袋１０を使用する際に、粘着部材３０を使用して開口部を封止させる注意書きなどが記載される。なお、被覆シート４２は図１及び図３では便宜上省略している。
【００３４】
このようにホルタ心電計用収容袋１０において、袋体２０の開口部を構成する裏シート２２と表シート２４の上辺部には、フレキ配線部６０のリード部６２が配置される領域に、裏側固定テープ３２と、導水体４０とが上下に並べて配置されている。
【００３５】
また、封止シート２６と裏シート２２の上部２２ａとが溶着によって接合されている部分２０ｃには、首などからホルタ心電計用収容袋を提げる場合等、ホルタ心電計用収容袋１０を被験者の身体に装着させる際の提げ紐等の装着具が挿通される貫通孔２０ｄが形成されている。
【００３６】
このようなホルタ心電計用収容袋１０は、接続されたリード部６２を介して伝達される被験者の生体信号を記録するホルタ心電計を収容して、被験者の体表面上に携帯される。ホルタ心電計用収容袋１０は、ホルタ心電計用収容袋１０であって、遮水性及び可撓性を有するシート材（裏シート２２、表シート２４及び封止シート２６）を、上端に開口が形成されるように貼り合わせてなり、内部にホルタ心電計５０が収容される袋本体と、袋本体において開口を形成するシート材部分の互いの対向面に配設され、開口を通るリード部６２を挟み込みつつ開口を封止する粘着部材（裏固定テープ３２、表固定テープ３４）と、粘着部材を介して封止される部分の下方で、リード部６２に表裏面側で対向するシート材のうち少なくとも一方の対向シート材（表シート２４及び封止シート２６に相当）を貫通して、上端部４０ａをリード部６２に当接されると共に下端部側がリード部６２と対向する対向シート材（表シート３４）の外部に配置され、上端部４０ａで吸水して対向シート材の外部に導く導水体４０とを有する。
【００３７】
なお、このように構成されたホルタ心電計用収容袋１０の裏面、つまり、裏シート２２の裏面には、袋体２０を体表面に貼着するための本体貼着部材（粘着テープ）２８が取り付けられている。この粘着テープ２８も裏側固定テープ３２及び表側固定テープ３４と同様に、使用前では、その粘着面は剥離紙により覆われている。
【００３８】
図３は、ホルタ心電計を収容したホルタ心電計用収容袋の使用状態を示す図、図４は図３に示すホルタ心電計用収容袋における開口部分の封着状態を示す要部断面図である。
【００３９】
図３に示すホルタ心電計用収容袋１０には、ホルタ心電計５０が収容されている。
【００４０】
ホルタ心電計５０には、一側面に形成されたスリット状の接続孔（図示省略）を介して、体表面に貼着される電極６１がそれぞれ先端部で接続された配線を備えるフレキ配線部６０が接続されている。
【００４１】
フレキ配線部６０では、ホルタ心電計５０の接続孔に接続されるコネクタ部分からそれぞれ分岐してリード部６２が延出しており、それぞれのリード部６２の先端に電極６１が設けられている。
【００４２】
フレキ配線部６０を介して電極６１から検出した電気信号は、ホルタ心電計５０に伝達され、ホルタ心電計５０内の記録装置（ここでは、ホルタ心電計５０に挿抜自在なＩＣメモリカード）に記録される。
【００４３】
ホルタ心電計用収容袋１０では、フレキ配線部６０が接続されたホルタ心電計５０が、表シート２４及び裏シート２２の上端部分を開くことで形成される開口部を介して袋体２０内に挿入される。
【００４４】
袋体２０内にホルタ心電計５０が収容された後、開口部から袋体２０の外部に導出されるフレキ配線部６０を、開口部を形成する表シート２４の上辺部分に配設された導水体４０と重なる位置に位置させる。次いで、裏側固定テープ３２及び表側固定テープ３４で、ホルタ心電計５０から導出されるフレキ配線部６０を挟み込みつつ、裏シート２２に封止シート２６を貼着して開口部を封止する。
【００４５】
この封止動作について、具体的には、袋体２０から導出されるフレキ配線部６０（ここではリード部６２）を、表面側で導水体４０に重なるように位置させて、剥離紙を剥がして粘着面を露出させた裏側固定テープ３２上に配置して固定する。このとき複数のリード部６２の全ては、裏側固定テープ３２の左右両側部より内側に位置される。
【００４６】
そして封止シート２６の裏面において、裏シート２２との接合部分を除く略全面に配設された表側固定テープ３４の剥離紙を剥がす。剥離紙が剥がされた表側固定テープ３４は、フレキ配線部６０が貼着された裏側固定テープ３２、裏シート２２の上部２２ａ、導水体４０が取り付けられた表シート２４の上辺部に粘着面が対向して露出し、この粘着面を対向する対象全てに密着させる。
【００４７】
これにより、封止シート２６は、上部で、フレキ配線部６０を、裏シート２２との間で裏側固定テープ３２及び表側固定テープ３４により挟み込まれた状態で固定するとともに、下部で、表シート２４の上辺部に貼着されることによって、導水体４０の上端部４０ａをリード部６２の表面に押圧させた状態で固定する。
【００４８】
ここでは、導水体４０として変形自在な所定厚を有する脱脂綿を用いているため、固定テープ間でリード部６２によじれが生じている場合でも、捩れた表面に当接される。
【００４９】
これにより、導水体４０は、封止シート２６の下辺部２６ａと裏面シート２２の上部２２ａとの間に配置されるフレキ配線部６０における複数のリード部６２間の隙間を閉塞するように配設されることとなる。
【００５０】
このようにホルタ心電計用収容袋１０において、内部のホルタ心電計５０からのフレキ配線部６０が導出される開口部を封緘する構成としては、図４に示すように、固定テープを介して封止シート２６及び裏シート２２によって、フレキ配線部６０を挟み込み密封するように封着する。
【００５１】
フレキ配線部６０における封着された部分の下方の部位は、幅方向（左右方向）の全面で、下端部をフレキ配線部６０の表面側で重なる表シート２４の外部に位置させた導水体４０の上端部４０ａによって、押圧された状態となっている。
【００５２】
この構成によれば、汗等の液体が電極或いはリード部６２を伝って表裏シート２２（封止シート２６と裏シート２２）の間（封着部分内）まで侵入した場合でも、その部分の下方で、侵入した液体を、表シート２４の上端縁２４ａより上方に突出して配設された導水体４０により吸い取り、導水体４０を介して、重力によって当該導水体４０の下側に伝えてケース外部に落とすことができる（図４では、液体の流れを矢印で示す）。
【００５３】
このようにホルタ心電計用収容袋１０では、表裏側固定テープ３４、３２を介して封止シート２６及び裏シート２４とでリード部６２を密着した状態で挟み込んだ部分と、当該挟み込んだ部分の下部の導水体４０とによって、電極を伝う汗等の液体の侵入を防ぐことができ、よい防滴性の向上が図られたホルタ心電計用収容袋１０となっている。
【００５４】
また、ホルタ心電計用収容袋１０では、袋体２０の底部にリブ２０ｂが形成されているため、袋体２０内に収容されたホルタ心電計５０を底辺部から上方に離間した位置で収容できる。これにより、表裏シート２２の間から仮に袋体２０内に液体が侵入した場合でも、ホルタ心電計５０への接触を防ぐことができる。また、内部に侵入した液体は、底辺部に形成された排水孔２０ａにより袋体２０の外部に排出できる。
【００５５】
なお、本実施の形態では、袋体２０内に突出するリブ２０ｂは、底辺部に形成されるものとしたが、これに限らず、収容部を形成する辺部のどの位置に設けられても良い。たとえば、底辺部以外にも、袋体２０における左右の両側辺部のうち少なくとも一方に形成されてもよい。また、排水孔２０ａも同様に、底辺部以外にも、袋体２０における左右両側辺部のうち少なくとも一方に形成されてもよい。
【００５６】
また、導水体は、上端部（一部）が、フレキ配線部６０に当接し、その当接する部位の下方の部位が袋体２０の外部、詳細には表シート２４の表面側に配置されているものであれば、表シート２４の上辺部においてどの位置に配置されてもよい。
【００５７】
以上、本発明の実施の形態について説明した。なお、以上の説明は本発明の好適な実施の形態の例証であり、本発明の範囲はこれに限定されない。つまり、上記各構成要素および各構成要素の使用時の動作についての説明は一例であり、本発明の範囲においてこれらの例に対する様々な変更や追加が可能であることは明らかである。
【図面の簡単な説明】
【００５８】
【図１】本発明の一実施の形態に係る携帯型医療電子機器用収容袋の正面図
【図２】同携帯型医療電子機器用収容袋の分解斜視図
【図３】ホルタ心電計を収容した携帯型医療電子機器用収容袋の使用状態を示す図
【図４】図３に示す携帯型医療電子機器用収容袋における開口部分の封着状態を示す要部断面図
【符号の説明】
【００５９】
１０  携帯型医療電子機器用収容袋
２０ａ  排水孔
２０ｂ  リブ
２２  裏シート
２２ａ  裏シートの上部
２４  表シート
２４ａ  表シートの上端縁
２６  封止シート
２６ａ  下辺部
２８  本体貼着部材
３０  粘着部材
３２  裏側固定テープ
３４  表側固定テープ
４０  導水体
４０ａ  導水体の上端部
４２  被覆シート
６０  フレキ配線部
６１  電極
６２  リード部
【図１】
0005046795.tif 000002
【図２】
0005046795.tif 000003
【図３】
0005046795.tif 000004
【図４】
0005046795.tif 000005